(57)【特許請求の範囲】
【請求項１】
活性炭等の粒状の吸着剤，吸収剤，化学吸着剤又は触媒の混合体を鋳型内において可溶性ポリマーと共に加圧下で熱処理し、型成形体(2)に押圧成形してなる吸気フィルターの製造方法であって、
前記鋳型は、収縮後の型成形体(2)が係合又は部分的に囲繞する完全な又は部分的な溝又は突片(5)を内周面に備えると共に吸気フィルターユニット又はファンフィルター若しくは該ユニット用のアダプター(4)に対して気密に連結する為のファスナー(3)を外周面に備える、該吸気フィルターユニット又はファンフィルターユニット、若しくは該ユニット用のアダプター(4)に対する接続部材(1)として用いられ、
該接続部材(1)と収縮後の型成形体(2)との間が気密に連結されることを特徴とする吸気フィルターの製造方法。
【請求項２】
活性炭等の粒状の吸着剤，吸収剤，化学吸着剤又は触媒の混合体を鋳型内において可溶性ポリマーと共に加圧下で熱処理し、型成形体(2)に押圧成形してなる吸気フィルターを製造する際に用いる装置であって、
前記鋳型は、収縮後の型成形体(2)が係合又は部分的に囲繞する完全な又は部分的な溝又は突片(5)を内周面に備えると共に吸気フィルターユニット又はファンフィルター若しくは該ユニット用のアダプター(4)に対して気密に連結する為のファスナー(3)を外周面に備える、該吸気フィルターユニット又はファンフィルターユニット、若しくは該ユニット用のアダプター(4)に対する接続部材(1)として用いられ、
該接続部材(1)と収縮後の型成形体(2)との間が気密連結されるように構成されていることを特徴とする装置。
【請求項３】
前記接続部材(1)は、前記吸気フィルターユニット又はファンフィルター、若しくは該ユニット用のアダプター(4)に対して着脱自在に連結されることを特徴とする請求項２に記載の装置。
【請求項４】
前記接続部材(1)は、前記型成形体(2)を形成するポリマーより高融点のポリマー、若しくはカードボード又は金属によって形成されていることを特徴とする請求項２又は３の何れかに記載の装置。
【発明の詳細な説明】
【０００１】
【発明の属する技術分野】
本発明は、活性炭等の，マトリックス状に配置されたフィルター媒体（ｍａｔｒｉｘ−ｂｏｎｄｅｄ  ｆｉｌｔｅｒ  ｍｅｄｉｕｍ）を備えた吸気フィルターに関する。
【０００２】
【従来の技術】
前記タイプのフィルターは、従前から公知である。例えば、米国特許第５，０７８，１３２号明細書には、吸着剤粒子が高分子結合剤に混合されてなる吸気フィルターの製造方法が開示されている。該吸気フィルターは、中空の貝殻状成形体を押圧しながら形成される。該成形体は、その後、フィルター部材としてマスクに組み込まれ、該マスクに固着される。
【０００３】
粒状吸着剤，吸収剤，化学吸着剤（ｃｈｅｍｉｓｏｒｐｔｉｖｅ）又は触媒が高分子接着剤で結合されてなる混合体、及び該混合体から型成形体を製造する方法は、ＤＥ  １９７  １４  ３５０  Ａ１  に開示されている。該明細書に開示の方法においては、溶解性ポリエチレンが、適切な撹拌容器内において、縮合により生成されたオリゴマー（ｏｌｉｇｏｃｏｎｄｅｎｓａｔｅ）によって、濡れ状態とされる。そして、細粒状の吸着剤，吸収剤，化学吸着剤又は触媒が添加され、十分に撹拌される。該混合体は適当な搬送システムを用いて処理装置へ供給され、９０℃〜１８０℃、好ましくは、１００℃〜１４０℃の温度、且つ、０．０１２５  ｂａｒ／ｃｍ２〜０．２５  ｂａｒ／ｃｍ２、好ましくは、０．０２２５  ｂａｒ／ｃｍ２〜０．０６２５  ｂａｒ／ｃｍ２の範囲内の圧力下で、鋳型内にて成形される。そして、該鋳型内にて冷却され、該鋳型から分離される。
【０００４】
しかしながら、斯かる型成形体を吸気マスクのフィルタとして使用する場合、該型成形体を吸気マスク又はボンネットの吸気口へ気密に装着する為に技術的な工夫が必要となるという問題点がある。さらに、これらの型成形体の機械的精度は、周縁部において限界がある。
【０００５】
【発明が解決しようとする課題】
本発明は、前記先行技術に鑑みなされたものであり、吸気マスク及び吸気ボンネット等の吸気装置に使用され得る低コストで且つ信頼性の有る，マトリックス状配列の活性炭等のマトリックス状配列フィルター媒体を提供することを、一の目的とする。
【０００６】
【課題を解決するための手段】
本発明は、活性炭等の粒状の吸着剤，吸収剤，化学吸着剤又は触媒の均一性を保持する為に、濡れ状態とされる可溶性ポリマーに混合され、その後、該混合体が所定圧力下で熱処理されて型成形体とされる吸気フィルターの製造方法であって、前記混合体が、吸気フィルターユニット又はファンフィルターユニットに対する接続部材内において、若しくは、吸気フィルターユニット又はファンフィルターユニット用アダプターにおける接続部材内において、所定圧力下に熱処理されるようになっており、これにより、前記混合体が積極的に又は必然的に前記接続部材に押圧され、該接続部材と収縮された前記混合体との間が気密に連結される吸気フィルターの製造方法を提供する。従って、本発明に係る装置用の鋳型は、吸気フィルター又はファンフィルター、若しくは、該フィルター用アダプターに対する接続部材である。
【０００７】
前記接続部材は、好ましくは、リング状とされ、且つ、該接続部材は、内周面に、前記収縮された型成形体が係合又は部分的に囲繞する完全な又は部分的な溝若しくは突起を備えている。該接続部材は、楕円，矩形又は他の幾何学的形状をとり得る。前記接続部材は、さらに、外周面に、吸気フィルターユニット又はファンフィルターユニット、若しくは、これらのユニット用アダプターに対して着脱自在且つ気密に連結する為のファスナーを備えている。前記アダプターは、前記ユニットに対して着脱自在に連結されるように構成され得る。前記接続部材は、好ましくは、前記型成形体を形成するポリマーより高融点のポリマー、若しくは、カードボード又は金属を用いて形成され得る。
【０００８】
【発明の実施の形態】
以下、本発明の一実施の形態について添付図面を参照しつつ説明する。図１は、本実施の形態に係る吸気フィルターの製造方法を説明する為の模式図である。図１に示すように、吸気フィルター用鋳型は、活性炭等の，粒状の吸着剤，吸収剤，化学吸着剤又は触媒の混合体と、可溶性ポリマーとが充填され、その後、所定圧力下で熱処理されて型成形体２を形成し得るようになっている。本実施の形態において、前記吸気フィルター用鋳型は、吸気フィルターユニット又はファンフィルターユニット、若しくは、これらのユニット用アダプターに連結される接続部材１を構成する。即ち、本実施の形態においては、接続部材１を型成形体２を形成する為の鋳型として用いている。
【０００９】
該接続部材１と充填された型成形体２との間は、積極的及び／又は必然的に気密にシールされている。即ち、前記混合体が収縮して型成形体２となる際に、該型成形体２は前記接続部材（鋳型）１の内周面に固着される。従って、型成形体２と接続部材１との間は必然的に気密にシールされる。
【００１０】
本実施の形態においてはリング状とされている前記接続部１は、内周面に、型成形体２によって部分的に囲繞される環状突片５を有している。該環状突片５は、前記接続部材１と型成形体２との間を積極的に気密シールすると共に、該型成形体２が接続部材１から不意に脱離することを有効に防止している。なお、該環状突片５の代わりに、溝を形成することも当然に可能である。
【００１１】
前記接続部材１は、吸気フィルターユニット又はファンフィルターユニット用アダプター４に着脱自在且つ気密に連結されるようになっている。本実施の形態においては、前記接続部材は、外周面に、凹部３を備えており、前記アダプター４は、該凹部３に対応する凸部を内周面に備えている。即ち、本実施の形態においては、前記接続部材１と前記アダプター４とはスナップ−イン係合するようになっている。なお、該接続部材１とアダプター４との接続構造として、ネジ結合や１／４回転ファスナー等の他の周知構造を使用することもできる。
【００１２】
又、前記アダプター４への連結の代わりに、型成形体２を吸気フィルターユニット又はファンフィルターユニットへ直接に、着脱自在且つ気密に連結させることも可能である。
【００１３】
斯かる接続部材１は、３つの機能を奏する。第１に、該接続部材１は、マトリックス状に配列された吸着剤を保持する機能を果たす。第２に、該接続部材１は、保持するマトリックス状吸着剤によって濾過されるように空気を案内する機能を果たす。そして、第３に、該接続部材１は、吸気フィルターユニット又はファンフィルターユニット，若しくはアダプター４に対して型成形体２を着脱自在且つ気密に連結する連結部材として機能する。斯かる着脱自在な連結構造は、吸気フィルターを簡易且つ安全に交換することを可能とする。
【００１４】
【発明の効果】
以上のように、本発明に係る吸気フィルター製造方法によれば、活性炭等の粒状の吸着剤，吸収剤，化学吸着剤又は触媒が可溶性ポリマーと混合され、該混合体が所定圧力下で熱処理され、型成形体に形成される吸気フィルターの製造方法であって、前記混合体を、吸気フィルターユニット又はファンフィルターユニット、若しくは該ユニット用アダプターに対する接続部材内において所定圧力下で熱処理し、これにより、該混合体が前記接続部材に対して積極的又は必然的に押圧され、該接続部材と収縮後の前記混合体との間が気密に連結されるように構成したので、前記吸着剤をマトリックス状に含む型成形体を、処理ガスの漏れなく、簡易且つ確実にフィルターユニットに装着することができる。
【図面の簡単な説明】
【図１】図１は、本発明に係る吸気フィルター製造方法の一実施の形態を説明する為の模式図である。
【符号の説明】
１      接続部材
２      型成形体
３      ファスナー
４      アダプター
５      突片
【図１】
0003580364.tif 000002